(57)【要約】【課題】抽斗や開き戸への事前の加工を必要とせず、既存の抽斗や開き戸にも簡単に取り付けることができ、磁石の保管も不要とすること。【解決手段】物を収納する収納部（１，２）と、収納部を覆う正面板（２１）とを備えるキャビネット（１００）を施錠するロック装置（３）であって、正面板の背面に設けられ、収納部に係止される施錠位置と収納部との係止が解除される開錠位置との間で移動自在とされた係止部（４２）と、係止部に設けられた第１の磁石（４３）と、正面板の正面に設けられ、移動により第１の磁石に対する磁力作用で係止部を施錠位置と開錠位置との間で移動させる第２の磁石（５３）と、正面板の正面に設けられ、第２の磁石を支持し、操作により第２の磁石を移動させる操作部（５２）と、を備える。【選択図】図４
2020105849.tif 000002
【特許請求の範囲】
【請求項１】
物を収納する収納部と、前記収納部を覆う正面板とを備えるキャビネットを施錠するロック装置であって、
前記正面板の背面に設けられ、前記収納部に係止される施錠位置と前記収納部との係止が解除される開錠位置との間で移動自在とされた係止部と、
前記係止部に設けられた第１の磁石と、
前記正面板の正面に設けられ、移動により前記第１の磁石に対する磁力作用で前記係止部を前記施錠位置と前記開錠位置との間で移動させる第２の磁石と、
前記正面板の正面に設けられ、前記第２の磁石を支持し、操作により前記第２の磁石を移動させる操作部と、
を備えることを特徴とするロック装置。
【請求項２】
前記係止部を前記施錠位置に移動させるように前記操作部を付勢する付勢部を備えることを特徴とする請求項１に記載のロック装置。
【請求項３】
前記操作部による開錠操作方向は、前記キャビネットを開ける動作と同じ方向であることを特徴とする請求項１又は２に記載のロック装置。
【請求項４】
前記施錠位置において、前記第２の磁石の一方の極が前記第１の磁石の一方の極に対して最接近し、前記開錠位置において、前記第２の磁石の他方の極が前記第１の磁石の一方の極に対して最接近することを特徴とする請求項１から３までのいずれか一項に記載のロック装置。
【請求項５】
前記開錠位置において、前記第２の磁石の一方の極が前記第１の磁石の他方の極に対して最接近することを特徴とする請求項４に記載のロック装置。
【請求項６】
前記係止部は、前記施錠位置と前記開錠位置との間で回転自在に設けられていることを特徴とする請求項１から５までのいずれか一項に記載のロック装置。
【請求項７】
前記操作部は、回転自在に設けられていることを特徴とする請求項１から６までのいずれか一項に記載のロック装置。
【請求項８】
前記収納部は、前記施錠位置にある前記係止部が係止される被係止部を備えることを特徴とする請求項１から７までのいずれか一項に記載のロック装置。
【請求項９】
前記正面板の正面に着脱自在に設けられ、前記第２の磁石及び前記操作部を覆うカバー部を備えることを特徴とする請求項１から８までのいずれか一項に記載のロック装置。
【発明の詳細な説明】
【技術分野】
【０００１】
本発明は、抽斗や開き戸のロック装置に関する。
【背景技術】
【０００２】
抽斗や開き戸の自由な開放を規制するロック装置が知られている。
例えば、把手を手前に引くと、把手にボルトを介して連結されている作動片と補強片が手前に移動し、ラッチが回転することで抽斗のロックが解除され、引き出すことができる抽斗が提案されている（例えば、特許文献１参照）。
また、受け板の表面から操作磁石を当てると、係止具兼用磁石が操作磁石に吸引されてロックが解除され、引き出すことができる抽斗が提案されている（例えば、特許文献２参照）。
また、開閉用磁石を開き戸に接着することにより、可動部材の係合用磁石が開閉用磁石に引き付けられ、可動部材が揺動してロックが解除され、開くことができる開き戸が提案されている（例えば、特許文献３参照）。
【先行技術文献】
【特許文献】
【０００３】
【特許文献１】特開２００８−４５３３９号公報
【特許文献２】特開２０００−２４８７９０号公報
【特許文献３】特開平５−３４０１４５号公報
【発明の概要】
【発明が解決しようとする課題】
【０００４】
しかし、特許文献１のロック装置においては、ロック装置を取り付ける際に、正面板の表面から裏面に貫通する貫通孔を事前に形成する必要があり、手間がかかる。特に、既存の抽斗にロック装置を設ける場合には、正面板の厚さや材質によっては強度確保のために制約があることもあり、取り付けが困難な場合もある。
また、特許文献２のロック装置においては、操作磁石は抽斗の把手に設けられていないため、紛失しないように保管しておく必要がある。また、頻繁に開閉を行う抽斗においては、開閉の度に保管場所から操作磁石を取り出す必要があるため、抽斗の開閉に手間がかかる。操作磁石の保管が十分でない場合には、操作磁石を紛失してしまうおそれもある。
また、特許文献３のロック装置においては、開閉用磁石は開き戸に設けられていないため、紛失しないように保管しておく必要がある。また、頻繁に開閉を行う開き戸においては、開閉の度に保管場所から開閉用磁石を取り出す必要があるため、開き戸の開閉に手間がかかる。開閉用磁石の保管が十分でない場合には、開閉用磁石を紛失してしまうおそれもある。
【０００５】
そこで、本発明は、上記課題に鑑みてなされたものであり、抽斗や開き戸への事前の加工を必要とせず、既存の抽斗や開き戸にも簡単に取り付けることができ、磁石の保管も不要なロック装置を提供することを目的とする。
【課題を解決するための手段】
【０００６】
上記の課題を解決するため、本発明は、物を収納する収納部と、前記収納部を正面側から覆う正面板とを備えるキャビネットを施錠するロック装置であって、前記正面板の背面に設けられ、前記収納部に係止される施錠位置と前記収納部との係止が解除される開錠位置との間で移動自在とされた係止部と、前記係止部に設けられた第１の磁石と、前記正面板の正面に設けられ、移動により前記第１の磁石に対する磁力作用で前記係止部を前記施錠位置と前記開錠位置との間で移動させる第２の磁石と、前記正面板の正面に設けられ、前記第２の磁石を支持し、操作により前記第２の磁石を移動させる操作部と、を備えることを特徴とする。
【０００７】
また、前記ロック装置では、前記係止部を前記施錠位置に移動させるように前記操作部を付勢する付勢部を備えることが好ましい。
【０００８】
また、前記ロック装置では、前記操作部による開錠操作方向は、前記キャビネットを開ける動作と同じ方向であることが好ましい。
【０００９】
また、前記ロック装置では、前記施錠位置において、前記第２の磁石の一方の極が前記第１の磁石の一方の極に対して最接近し、前記開錠位置において、前記第２の磁石の他方の極が前記第１の磁石の一方の極に対して最接近することが好ましい。
【００１０】
また、前記ロック装置では、前記開錠位置において、前記第２の磁石の一方の極が前記第１の磁石の他方の極に対して最接近することが好ましい。
【００１１】
また、前記ロック装置では、前記係止部は、前記施錠位置と前記開錠位置との間で回転自在に設けられていることが好ましい。
【００１２】
また、前記ロック装置では、前記操作部は、回転自在に設けられていることが好ましい。
【００１３】
また、前記ロック装置では、前記収納部は、前記施錠位置にある前記係止部が係止される被係止部を備えることが好ましい。
【００１４】
また、前記ロック装置では、前記正面板の正面に着脱自在に設けられ、前記第２の磁石及び前記操作部を覆うカバー部を備えることが好ましい。
【発明の効果】
【００１５】
本発明によれば、抽斗や開き戸への事前の加工を必要とせず、既存の抽斗や開き戸にも簡単に取り付けることができ、磁石の保管も不要となる。
【図面の簡単な説明】
【００１６】
【図１】キャビネットの斜視図である。
【図２】（ａ）はラッチ部の斜視図であり、（ｂ）は（ａ）におけるＡ−Ａ断面図である。
【図３】（ａ）はカバーを取り外した把手部の斜視図であり、（ｂ）は（ａ）におけるＢ−Ｂ断面図である。
【図４】抽斗がロックされた状態を説明する図である。
【図５】抽斗のロックを解除する操作を説明する図である。
【図６】抽斗のロックが解除された状態を説明する図である。
【図７】抽斗のロックが解除された状態からロックされた状態に戻すときの操作を説明する図である。
【図８】抽斗を筐体に収納するときの係止爪の動作を説明する図である。
【図９】ロック装置の第２の実施の形態において、（ａ）は抽斗がロックされた状態を説明する図であり、（ｂ）は抽斗のロックが解除された状態を説明する図である。
【図１０】ロック装置の第３の実施の形態において、把手部の斜視図である。
【図１１】ロック装置の第３の実施の形態において、（ａ）は抽斗がロックされた状態を説明する図であり、（ｂ）は抽斗のロックが解除された状態を説明する図である。
【図１２】ロック装置の第４の実施の形態において、（ａ）は抽斗がロックされた状態を説明する図であり、（ｂ）は抽斗のロックが解除された状態を説明する図である。
【図１３】ロック装置の第５の実施の形態において、（ａ）は係止爪が施錠位置にある状態を説明する図であり、（ｂ）は係止爪が開錠位置にある状態を説明する図である。
【図１４】ロック装置の第５の実施の形態において、（ａ）は抽斗がロックされた状態を説明する図であり、（ｂ）は抽斗のロックが解除された状態を説明する図である。
【発明を実施するための形態】
【００１７】
本発明の好ましい実施の形態について、図面を参照しながら説明する。なお、以下に示す実施の形態は一つの例示であり、本発明の範囲において種々の形態をとりうる。
【００１８】
［第１の実施の形態］
＜キャビネット＞
図１に示すように、キャビネット１００は、筐体１と、抽斗２と、ロック装置３と、を備えている。
筐体１は、抽斗２を移動自在に収納する。筐体１は、例えば、直方体状に形成されており、一方の面が開口されており、一又は複数の抽斗２を収納可能に区画形成されている。
抽斗２は、保管される物が載置され、筐体１内に収納することで、保管される物をキャビネット１００に収納することができる。すなわち、筐体１と抽斗２は、保管対象となる物を収納する収納部として機能する。
抽斗２は、正面側を覆う正面板２１を備えている。正面板２１は、抽斗２が筐体１に収納されている状態において、キャビネット１００の正面壁の一部を構成する。
抽斗２は、筐体１内に形成された空間に前後方向に往復移動自在に設けられている。すなわち、抽斗２は、キャビネット１００の正面と背面とを結ぶ方向に沿って往復移動自在に設けられている。
ロック装置３は、筐体１と抽斗２との間に介在し、筐体１に対する抽斗２の移動の規制及び規制の解除を行う。
【００１９】
＜ロック装置＞
図２、図３に示すように、ロック装置３は、ラッチ部４と、把手部５と、を備えている。ラッチ部４は、抽斗２の正面板２１の背面（裏面）に設けられており、把手部５は、抽斗２の正面板２１の正面（表面）に設けられている。
【００２０】
（ラッチ部）
図２に示すように、ラッチ部４は、基部４１と、係止爪４２と、磁石４３と、を備えている。
基部４１は、ラッチ部４を正面板２１に取り付ける土台となる。基部４１は、ネジ孔４１ａと、案内部４１ｂと、ストッパ４１ｃと、軸部４１ｄと、を備えている。
ネジ孔４１ａは、ネジ等を挿通させて、基部４１を正面板２１に取り付ける際に用いられる貫通孔である。ネジ孔４１ａは、基部４１の幅方向両端部近傍にそれぞれ一つずつ形成されている。ネジ孔４１ａは、その高さ方向に沿って延びる長孔状に形成されている。ネジ孔４１ａは、基部４１を正面板２１に取り付けた際に、同じ高さとなる位置に形成されている。
案内部４１ｂは、二つのネジ孔４１ａに挟まれた位置に設けられており、係止爪４２の回転をその幅方向両側から案内する。案内部４１ｂは、係止爪４２の幅方向両側にそれぞれ一つずつ設けられており、正面板２１の背面に直交する方向に沿って抽斗２の奥側に向けて延びるように形成されている。
ストッパ４１ｃは、二つの案内部４１ｂに挟まれた位置で、係止爪４２の回転軌道上に設けられている。ストッパ４１ｃは、係止爪４２が必要以上に回転しないように、ロックが解除されるのに必要最低限の位置で係止爪４２を受け止めて、係止爪４２のそれ以上の回転を規制する。
軸部４１ｄは、係止爪４２を回転自在に支持する。軸部４１ｄは、二つの案内部４１ｂの間に設けられており、その軸線方向が基部４１の幅方向（正面板２１の幅方向）に沿って設けられている。
【００２１】
係止爪４２は、係止部として機能し、正面板２１の背面において、基部４１に軸部４１ｄを介して回転自在に設けられている。係止爪４２は、筐体１に設けられた受け部１１に係止される施錠位置と、受け部１１との係止が解除される開錠位置との間で移動自在に設けられている。ここで、受け部１１は、係止爪４２が係止される被係止部として機能する。
係止爪４２は、側面視した際に、その中央付近で屈曲するように形成されている。係止爪４２の一端は軸部４１ｄを介して基部４１に回転自在に設けられており、係止爪４２の他端部は、鉤状に形成されて、筐体１の受け部１１に係止可能な形状に形成されている。係止爪４２の他端部に形成された鉤状部４２ａは、正面板２１の正面側に折り返すように形成されており、その上縁部４２ｂは抽斗２の奥側に向かうにつれて緩やかに傾斜する凸面状（円弧状）に形成されている。
【００２２】
磁石４３は、第１の磁石として機能し、係止爪４２に設けられている。磁石４３は、例えば、フェライト磁石等の永久磁石であり、係止爪４２における軸部４１ｄ近傍に設けられている。磁石４３は、例えば、Ｓ極が上側、Ｎ極が下側となるように係止爪４２に設けられている。磁石４３は、係止爪４２が筐体１の受け部１１に係止されている状態（施錠位置）において、上側のＳ極が下側のＮ極よりも正面板２１側に位置するように係止爪４２に設けられている。磁石４３は、係止爪４２と筐体１の受け部１１との係止が解除されている状態（開錠位置）において、下側のＮ極が上側のＳ極よりも正面板２１側に位置するように係止爪４２に設けられている。
【００２３】
（把手部）
図１、図３、図４に示すように、把手部５は、ベース５１と、レバー５２と、磁石５３と、バネ５４と、カバー５５と、を備えている。なお、図３においては、説明の便宜上、カバー５５を取り外した状態を描いている。
ベース５１は、把手部５を正面板２１に取り付ける土台となる。ベース５１は、ネジ孔５１ａと、案内部５１ｂと、ストッパ５１ｃと、軸部５１ｄと、台部５１ｅと、を備えている。
ネジ孔５１ａは、ネジ等を挿通させて、ベース５１を正面板２１に取り付ける際に用いられる貫通孔である。ネジ孔５１ａは、ベース５１の幅方向両端部近傍にそれぞれ一つずつ形成されている。ネジ孔５１ａは、その高さ方向に沿って延びる長孔状に形成されている。ネジ孔５１ａは、ベース５１を正面板２１に取り付けた際に、同じ高さとなる位置に形成されている。
案内部５１ｂは、二つのネジ孔５１ａに挟まれた位置に設けられており、レバー５２の回転をその幅方向両側から案内する。案内部５１ｂは、レバー５２の幅方向両側にそれぞれ一つずつ設けられており、正面板２１の正面に直交する方向に沿って抽斗２の手前側（抽斗２を引き出す方向）に向けて延びるように形成されている。
ストッパ５１ｃは、二つの案内部５１ｂの間の位置でレバー５２の上方に設けられており、レバー５２の回転軌道上に設けられている。ストッパ５１ｃは、レバー５２が必要以上に回転しないように、ロックするのに必要最低限の位置でレバー５２を受け止めて、レバー５２のそれ以上の回転を規制する。
軸部５１ｄは、レバー５２を回転自在に支持する。軸部５１ｄは、二つの案内部５１ｂの間で案内部５１ｂに支持されており、その軸線方向がベース５１の幅方向（正面板２１の幅方向）に沿って設けられている。
台部５１ｅは、ストッパ５１ｃの下方に設けられており、二つの案内部５１ｂに挟まれた位置に設けられている。台部５１ｅには、バネ５４の一端部が設けられている。
【００２４】
レバー５２は、操作部として機能し、正面板２１の正面において、ベース５１に軸部５１ｄを介して回転自在に設けられている。レバー５２は、係止爪４２が筐体１に設けられた受け部１１に係止される施錠位置と、係止爪４２と受け部１１との係止が解除される開錠位置との間で係止爪４２を移動させることができる範囲で可動するようにベース５１に回転自在に設けられている。レバー５２による開錠操作方向は、筐体１から抽斗２を引き出す動作と同じ方向となるように、レバー５２がベース５１に回転自在に設けられている。すなわち、レバー５２において手を掛ける手掛部５２ａは、レバー５２の回転軌跡円の接線方向が抽斗２の引き出し方向に沿った位置となるように設けられている。換言すれば、レバー５２の手掛部５２ａは、軸部５１ｄの下方の位置にあることが好ましい。
レバー５２は、側面視した際に、その中央付近で屈曲するように形成されている。レバー５２の中央部は軸部５１ｄを介してベース５１に回転自在に設けられている。レバー５２の一端部は、抽斗２を筐体１から引き出す際に手を掛ける手掛部５２ａであり、レバー５２の他端部は、正面板２１に対向し、正面板５１の高さ方向にほぼ沿うように軸部５１ｄ回りに回転する。レバー５２の一端部は、その幅が他の部分よりも大幅に拡大されており、使用者がカバー５５の下方において広い範囲で手を掛けて抽斗２を引き出しやすくなるように形成されている。
【００２５】
磁石５３は、第２の磁石として機能し、レバー５２の他端部に設けられている。磁石５３は、例えば、フェライト磁石等の永久磁石である。磁石５３は、例えば、Ｓ極が上側、Ｎ極が下側となるようにレバー５２に設けられている。磁石５３は、レバー５２が引かれていない状態、すなわち、係止爪４２が筐体１の受け部１１に係止されている状態（施錠位置）において、下側のＮ極が上側のＳ極よりも正面板２１側に位置するようにレバー５２に設けられている。磁石５３は、係止爪４２と筐体１の受け部１１との係止が解除されている状態（開錠位置）において、上側のＳ極が下側のＮ極よりも正面板２１側に位置するようにレバー５２に設けられている。磁石５３は、レバー５２の操作による移動により、磁石４３に対する磁力作用で係止爪４２を施錠位置と開錠位置との間で移動させる。
【００２６】
バネ５４は、レバー５２の他端部と台部５１ｅとの間に設けられている。バネ５４は、正面板２１の高さ方向にほぼ沿うように設けられており、その弾性力により、レバー５２の他端部を上方に向けて付勢している。すなわち、バネ５４は、自然長よりも圧縮された状態で、レバー５２の他端部と台部５１ｅとの間に設けられている。すなわち、バネ５４の付勢によってレバー５２の他端部は上方に押し上げられており、下側のＮ極が上側のＳ極よりも正面板２１側に位置する状態となっている。換言すれば、レバー５２に外力を付与してレバー５２を回転させない限り、係止爪４２は筐体１の受け部１１に係止されている状態（施錠位置）にある。つまり、バネ５４は、係止爪４２を施錠位置に移動させるようにレバー５２を付勢しており、抽斗２は、通常の状態では筐体１に係止されてロックされた状態となっている。
【００２７】
カバー５５は、カバー部として機能し、ベース５１に着脱自在に設けられている。カバー５５は、内側に空間が形成されており、把手部５を構成するベース５１、レバー５２、磁石５３、及びバネ５４を覆い、把手部５の美観を向上させる。カバー５５の下方は開口されており、この開口部から手を入れてレバー５２を操作することができるようになっている。
【００２８】
＜キャビネットの施錠方法及び開錠方法＞
次に、図４〜図８を用いて、ロック装置３によるキャビネット１００の筐体１に対する抽斗２の施錠方法及び開錠方法について説明する。
図４に示すように、レバー５２の操作がされていない状態においては、抽斗２は筐体１にロックされた状態となっている。レバー５２はバネ５４の弾性力によって、磁石５３が設けられているレバー５２の他端部が上方に付勢され、押し上げられており、レバー５２はストッパ５１ｃに当接している。
このとき、レバー５２の磁石５３は、下側のＮ極が上側のＳ極よりも正面板２１側に位置しており、かつ、係止爪４２の磁石４３は、上側のＳ極が下側のＮ極よりも正面板２１側に位置している。これにより、磁石５３のＮ極と磁石４３のＳ極とが他の極よりも最接近した状態となり、磁力作用により、互いの磁石４３，５３が引き寄せ合う。レバー５２は、ストッパ５１ｃによって磁石５３が磁石４３に近づく方向への移動が規制されているため、磁石４３のＳ極が磁石５３のＮ極に近づく。そのため、磁石４３が設けられている係止爪４２も軸部４１ｄを中心として磁石４３が引き寄せられる方向にともに回転する。その結果、係止爪４２の鉤状部４２ａは、筐体１の受け部１１に係止され、係止爪４２は施錠位置にある状態となる。
【００２９】
ロック装置３によるロックを解除して抽斗２を筐体１から引き出す際には、図５に示すように、使用者は、カバー５５の下方から手を入れてレバー５２の手掛部５２ａに手を掛け、抽斗２を引き出す方向Ｐと同じ方向、つまり、キャビネット１００に向き合っている使用者がいる手前側にレバー５２を引く。
レバー５２を引くと、レバー５２は、バネ５４の付勢力に抗して軸部５１ｄを中心として回転し、バネ５４が縮むとともに、レバー５２の他端部は下方に移動する。
このとき、レバー５２の磁石５３は、上側のＳ極が下側のＮ極よりも正面板２１側に位置することになり、かつ、磁石５３に引き寄せられていた係止爪４２の磁石４３は、上側のＳ極が下側のＮ極よりも正面板２１側に位置している。これにより、磁石５３のＳ極と磁石４３のＳ極とが他の極よりも最接近した状態となり、磁力作用により、互いの磁石４３，５３が反発しあう。磁石５３は、使用者にレバー５２が保持されていて動けないため、磁石４３は、磁石５３から離れる方向に向かって移動する。そのため、磁石４３が設けられている係止爪４２も軸部４１ｄを中心として磁石４３が磁石５３から離れる方向にともに回転する。その結果、係止爪４２の鉤状部４２ａは、筐体１の受け部１１から離れて係止が解除され、係止爪４２は開錠位置にある状態となる。
【００３０】
図５に示すレバー５２の操作により、係止爪４２が回転して開錠位置にある場合、図６に示すように、磁石５３のＳ極と磁石４３のＮ極とが他の極よりも最接近した状態となり、磁力作用により、互いの磁石４３，５３が引き寄せ合う。磁石５３は、使用者にレバー５２が保持されていて動けないため、磁石４３は、磁石５３に近づく方向に向かって移動する。これにより、係止爪４２が開錠位置にある状態を維持することができ、抽斗２を筐体１から引き出すことができる。
【００３１】
筐体１から抽斗２を引き出した後、使用者は、レバー５２から手を放す。レバー５２を放すと、図７に示すように、レバー５２は、バネ５４の付勢力によって軸部５１ｄを中心として回転し、バネ５４が伸びるとともに、レバー５２の他端部は上方に移動する。
このとき、レバー５２の磁石５３は、下側のＮ極が上側のＳ極よりも正面板２１側に位置することになり、かつ、磁石５３に引き寄せられていた係止爪４２の磁石４３は、下側のＮ極が上側のＳ極よりも正面板２１側に位置している。これにより、磁石５３のＮ極と磁石４３のＮ極とが他の極よりも最接近した状態となり、磁力作用により、互いの磁石４３，５３が反発しあう。磁石５３は、レバー５２がストッパ５１ｃに移動を規制されていて動けないため、磁石４３は、磁石５３から離れる方向に向かって移動する。そのため、磁石４３が設けられている係止爪４２も軸部４１ｄを中心として磁石４３が磁石５３から離れる方向にともに回転する。その結果、係止爪４２の鉤状部４２ａは、筐体１の受け部１１に近づいて係止され、係止爪４２は施錠位置にある状態となる。
【００３２】
抽斗２を筐体１内に戻す際には、使用者は抽斗２の正面板２１を筐体１に向かって押す。このとき、図８に示すように、レバー５２は引かれていないため、係止爪４２は施錠位置にあり、係止爪４２の鉤状部４２ａが筐体１の受け部１１に反対側から接触する。しかし、鉤状部４２ａの上縁部４２ｂは、抽斗２の奥側に向かうにつれて緩やかに傾斜する凸面状（円弧状）に形成されているため、係止爪４２は、受け部１１に引っ掛かることなく、軸部４１ｄを中心として回転する。受け部１１を通過した後は、磁石４３，５３の磁力作用により、係止爪４２は受け部１１に係止されて施錠位置にある状態となる。
【００３３】
ロック装置３によれば、正面板２１の正面と背面に設けた二つの磁石４３，５３の磁力作用により、抽斗２の施錠及び開錠を行うことができるので、ラッチ部４と把手部５とを機械的に連結する必要がない。そのため、正面板２１に貫通孔を形成する等の加工を事前に行う必要がなく、取り付け作業が容易となる。また、既存のキャビネット１００の正面板２１にも簡単に取り付けることができる。
磁石４３は係止爪４２に設けられており、磁石５３はレバー５２に設けられているので、両磁石４３，５３は、正面板２１に取り付けられたままの状態でロック装置３を用いることができるので、一方の磁石５３を操作用の磁石として保管する必要がなく、磁石５３の紛失を防止することができる。また、抽斗２を開閉するたびに磁石５３の取り出し及び保管を繰り返す必要がなくなるので、使用者の手間を減らすことができる。
レバー５２に磁石５３が設けられているので、レバー５２の操作がロックの施錠及び開錠に繋がるため、ロック装置３の操作を簡単なものとすることができる。
レバー５２による開錠操作方向は、キャビネット１００の抽斗２を開ける動作と同じ方向であるため、使用者はレバー５２を手前に引くという一つの動作でロックの解除と抽斗２の引き出しを連動して行うことができ、操作性に優れる。これにより、抽斗２が常にロックされていて頻繁に抽斗２を開閉する場合であっても、使用者が煩わしさを感じることなく抽斗２を使用することができる。
カバー５５は、ベース５１に着脱自在とされているので、キャビネット１００の載置場所の雰囲気や使用者の好みによって自由に、簡単に交換することができる。また、レバー５２の形状や抽斗２の大きさに応じて、形状や大きさの異なるカバー５５に自由に変更することができる。
【００３４】
［第２の実施の形態］
次に、ロック装置の第２の実施の形態について説明する。ロック装置の一部の構成は、第１の実施の形態と同じであるため説明を省略し、第１の実施の形態との相違点について説明する。
図９に示すように、ロック装置３Ａは、正面板２１に対して、把手部５を上下逆にして取り付けたものである。
係止爪４２に設けられている磁石４３は、例えば、Ｓ極が上側、Ｎ極が下側となるように係止爪４２に設けられている。磁石４３は、係止爪４２が筐体１の受け部１１に係止されている状態（施錠位置）において、上側のＳ極が下側のＮ極よりも正面板２１側に位置するように係止爪４２に設けられている。磁石４３は、係止爪４２と筐体１の受け部１１との係止が解除されている状態（開錠位置）において、下側のＮ極が上側のＳ極よりも正面板２１側に位置するように係止爪４２に設けられている。
レバー５２に設けられている磁石５３は、例えば、Ｎ極が上側、Ｓ極が下側となるようにレバー５２に設けられている。磁石５３は、レバー５２が引かれていない状態、すなわち、係止爪４２が筐体１の受け部１１に係止されている状態（施錠位置）において、上側のＮ極が下側のＳ極よりも正面板２１側に位置するようにレバー５２に設けられている。磁石５３は、係止爪４２と筐体１の受け部１１との係止が解除されている状態（開錠位置）において、下側のＳ極が上側のＮ極よりも正面板２１側に位置するようにレバー５２に設けられている。
係止爪４２が筐体１の受け部１１に係止されている状態（施錠位置）においては、係止爪４２に設けられている磁石４３の上側のＳ極と、レバー５２に設けられている磁石５３の上側のＮ極とが引き寄せ合うとともに、磁石４３の下側のＮ極と、磁石５３の上側のＮ極とが反発し合っている。
【００３５】
ロック装置３Ａによるロックを解除して抽斗２を筐体１から引き出す際には、図９（ｂ）に示すように、使用者は、カバー５５の上方から手を入れてレバー５２の手掛部５２ａに手を掛け、抽斗２を引き出す方向Ｐと同じ方向、つまり、キャビネット１００に向き合っている使用者がいる手前側にレバー５２を引く。
レバー５２を引くと、レバー５２は、バネ５４の付勢力に抗して軸部５１ｄを中心として回転し、バネ５４が縮むとともに、レバー５２の他端部は上方に移動する。
このとき、レバー５２の磁石５３は、下側のＳ極が上側のＮ極よりも正面板２１側に位置することになる。これにより、磁石５３のＳ極と磁石４３のＮ極とが他の極よりも最接近した状態となり、磁力作用により、互いの磁石４３，５３が引き寄せ合う。磁石５３は、使用者にレバー５２が保持されていて動けないため、磁石４３は、磁石５３に近づく方向に向かって移動する。そのため、磁石４３が設けられている係止爪４２も軸部４１ｄを中心として磁石４３が磁石５３に近づく方向にともに回転する。その結果、係止爪４２の鉤状部４２ａは、筐体１の受け部１１から離れて係止が解除され、係止爪４２は開錠位置にある状態となる。
図９（ｂ）に示すレバー５２の操作により、係止爪４２が回転して開錠位置にある場合、互いの磁石４３，５３が引き寄せあっているので、係止爪４２が開錠位置にある状態を維持することができ、抽斗２を筐体１から引き出すことができる。
【００３６】
ロック装置３Ａによれば、正面板２１の正面と背面に設けた二つの磁石４３，５３の磁力作用により、抽斗２の施錠及び開錠を行うことができるので、ラッチ部４と把手部５とを機械的に連結する必要がない。そのため、正面板２１に貫通孔を形成する等の加工を事前に行う必要がなく、取り付け作業が容易となる。また、既存のキャビネット１００の正面板２１にも簡単に取り付けることができる。
磁石４３は係止爪４２に設けられており、磁石５３はレバー５２に設けられているので、両磁石４３，５３は、正面板２１に取り付けられたままの状態でロック装置３Ａを用いることができるので、一方の磁石５３を操作用の磁石として保管する必要がなく、磁石５３の紛失を防止することができる。また、抽斗２を開閉するたびに磁石５３の取り出し及び保管を繰り返す必要がなくなるので、使用者の手間を減らすことができる。
レバー５２に磁石５３が設けられているので、レバー５２の操作がロックの施錠及び開錠に繋がるため、ロック装置３Ａの操作を簡単なものとすることができる。
レバー５２による開錠操作方向は、キャビネット１００の抽斗２を開ける動作と同じ方向であるため、使用者はレバー５２を手前に引くという一つの動作でロックの解除と抽斗２の引き出しを連動して行うことができ、操作性に優れる。これにより、抽斗２が常にロックされていて頻繁に抽斗２を開閉する場合であっても、使用者が煩わしさを感じることなく抽斗２を使用することができる。
カバー５５の上方の開口から手を入れてレバー５２を操作することができるため、床付近の低い位置にある抽斗２を開閉するときの操作を簡単にすることができる。
カバー５５は、ベース５１に着脱自在とされているので、キャビネット１００の載置場所の雰囲気や使用者の好みによって自由に、簡単に交換することができる。また、レバー５２の形状や抽斗２の大きさに応じて、形状や大きさの異なるカバー５５に自由に変更することができる。
【００３７】
［第３の実施の形態］
次に、ロック装置の第３の実施の形態について説明する。ロック装置の一部の構成は、第１の実施の形態と同じであるため説明を省略し、第１の実施の形態との相違点について説明する。
図１０、図１１に示すように、ロック装置３Ｂは、把手部５に代えて、把手部５とは構成の異なる把手部６を備えている。
【００３８】
図１０に示すように、把手部６は、ベース６１と、レバー６２と、磁石６３と、バネ６４と、カバー６５と、を備えている。
ベース６１は、把手部６を正面板２１に取り付ける土台となる。ベース６１は、ネジ孔６１ａと、案内部６１ｂと、ストッパ６１ｃと、台部６１ｄと、を備えている。
ネジ孔６１ａは、ネジ等を挿通させて、ベース６１を正面板２１に取り付ける際に用いられる貫通孔である。ネジ孔６１ａは、ベース６１の幅方向両端部近傍にそれぞれ一つずつ形成されている。ネジ孔６１ａは、その高さ方向に沿って延びる長孔状に形成されている。ネジ孔６１ａは、ベース６１を正面板２１に取り付けた際に、同じ高さとなる位置に形成されている。
案内部６１ｂは、二つのネジ孔６１ａに挟まれた位置に設けられており、レバー６２の上下移動をその幅方向両側から案内する。案内部６１ｂは、レバー６２の幅方向両側にそれぞれ一つずつ設けられており、正面板２１の背面に直交する方向に沿って抽斗２の手前側（抽斗２を引き出す方向）に向けて延びるように形成されている。
ストッパ６１ｃは、二つの案内部６１ｂの間の位置でレバー６２の下方に設けられており、レバー６２の上下移動の軌道上に設けられている。ストッパ６１ｃは、レバー６２が必要以上に下方に移動しないように、ロックするのに必要最低限の位置でレバー６２を受け止めて、レバー６２のそれ以上の移動を規制する。
台部６１ｄは、ストッパ６１ｃの上方に設けられており、レバー６２の上端部に対向する位置に設けられている。台部６１ｄには、バネ６４の一端部が設けられており、レバー６２の上端部には、バネ６４の他端部が設けられている。
【００３９】
レバー６２は、操作部として機能し、正面板２１の正面において、ベース６１に対して上下方向に移動自在に設けられている。
レバー６２は、係止爪４２が筐体１の受け部１１に係止される施錠位置と、係止爪４２と受け部１１との係止が解除される開錠位置との間で係止爪４２を移動させることができる範囲で可動するようにベース６１に上下移動自在に設けられている。
【００４０】
磁石６３は、第２の磁石として機能し、レバー６２に設けられている。磁石６３は、例えば、フェライト磁石等の永久磁石である。磁石６３は、例えば、係止爪４２の磁石４３のＮ極が下側、Ｓ極が上側である場合に、Ｎ極が上側、Ｓ極が下側となるようにレバー６２に設けられている。磁石６３は、レバー６２が上方に押し上げられていない状態、すなわち、係止爪４２が受け部１１に係止された施錠位置において、磁石４３のＮ極と磁石６３のＮ極とが他極よりも最接近した状態となっている。磁石６３は、レバー６２の操作による移動により、磁石４３に対する磁力作用で係止爪４２を施錠位置と開錠位置との間で移動させる。
【００４１】
バネ６４は、レバー６２の上端部と台部６１ｄとの間に設けられている。バネ６４は、正面板２１の高さ方向にほぼ沿うように設けられており、その弾性力により、レバー６２の上端部を下方に向けて付勢している。すなわち、バネ６４は、自然長よりも圧縮された状態で、レバー６２の上端部と台部６１ｄとの間に設けられている。すなわち、バネ６４の付勢によってレバー６２の上端部は下方に押し下げられている。なお、バネ６４を設けることなく、レバー６２の重力によってレバー６２を下方に移動させることもできるが、レバー６２の案内部６１ｂに沿った移動時のがたつきや、レバー６２がストッパ６１ｃに衝突して音が出ることを防止するため、バネ６４は設けた方が好ましい。
【００４２】
カバー６５は、ベース６１に着脱自在に設けられている。カバー６５は、内側に空間が形成されており、把手部６を構成するベース６１、レバー６２、磁石６３、及びバネ６４を覆い、把手部６の美観を向上させる。カバー６５の下方は開口されており、この開口部から手を入れてレバー６２を操作することができるようになっている。
【００４３】
ロック装置３Ｂによるロックを解除して抽斗２を筐体１から引き出す際には、図１１に示すように、使用者は、カバー６５の下方から手を入れてレバー６２に手を掛け、レバー６２を上方に向けて押し上げる。
レバー６２を押し上げると、レバー６２は、バネ６４の付勢力に抗して上方に移動し、バネ６４が縮む。
レバー６２の磁石６３は、上側のＮ極が磁石４３の下側のＮ極と反発し合い、係止爪４２は施錠位置にあるが、レバー６２が上方に移動して、磁石６３の下側のＳ極が磁石４３の下側のＮ極に最接近すると、磁石４３と磁石６３が引き寄せ合うので、係止爪４２は軸部４１ｄを中心として回転し、係止爪４２は筐体１の受け部１１から離れるように回転する。その結果、係止爪４２の鉤状部４２ａは、筐体１の受け部１１から離れて係止が解除され、係止爪４２は開錠位置にある状態となる。
【００４４】
図１１に示すレバー６２の操作により、係止爪４２が回転して開錠位置にある場合、磁石６３のＳ極と磁石４３のＮ極とが他の極よりも最接近した状態となり、磁力作用により、互いの磁石４３，６３が引き寄せ合う。磁石６３は、使用者にレバー６２が保持されていて動けないため、磁石４３は、磁石６３に近づく方向に向かって移動する。これにより、係止爪４２が開錠位置にある状態を維持することができ、抽斗２を筐体１から引き出すことができる。
【００４５】
筐体１から抽斗２を引き出した後、使用者は、レバー６２から手を放す。レバー６２を放すと、レバー６２は、バネ６４の付勢力によって下方に移動し、バネ６４が伸びる。
このとき、レバー６２の磁石６３は、レバー６２が下方に移動して、磁石６３の上側のＮ極が磁石４３の下側のＮ極に最接近すると、磁石４３と磁石６３が反発し合うので、係止爪４２は軸部４１ｄを中心として回転し、係止爪４２は筐体１の受け部１１に近づくように回転する。その結果、係止爪４２の鉤状部４２ａは、筐体１の受け部１１に係止され、係止爪４２は施錠位置にある状態となる。
また、抽斗２を筐体１内に戻す際には、使用者は抽斗２の正面板２１を筐体１に向かって押す。このとき、レバー６２は引かれていないため、係止爪４２は施錠位置にあり、係止爪４２の鉤状部４２ａが筐体１の受け部１１に反対側から接触する。しかし、鉤状部４２ａの上縁部４２ｂは、抽斗２の奥側に向かうにつれて緩やかに傾斜する凸面状（円弧状）に形成されているため、係止爪４２は、受け部１１に引っ掛かることなく、軸部４１ｄを中心として回転する。受け部１１を通過した後は、磁石４３，６３の磁力作用により、係止爪４２は受け部１１に係止されて施錠位置にある状態となる。
【００４６】
ロック装置３Ｂによれば、正面板２１の正面と背面に設けた二つの磁石４３，６３の磁力作用により、抽斗２の施錠及び開錠を行うことができるので、ラッチ部４と把手部６とを機械的に連結する必要がない。そのため、正面板２１に貫通孔を形成する等の加工を事前に行う必要がなく、取り付け作業が容易となる。また、既存のキャビネット１００の正面板２１にも簡単に取り付けることができる。
磁石４３は係止爪４２に設けられており、磁石６３はレバー６２に設けられているので、両磁石４３，６３は、正面板２１に取り付けられたままの状態でロック装置３Ｂを用いることができるので、一方の磁石６３を操作用の磁石として保管する必要がなく、磁石６３の紛失を防止することができる。また、抽斗２を開閉するたびに磁石６３の取り出し及び保管を繰り返す必要がなくなるので、使用者の手間を減らすことができる。
レバー６２に磁石６３が設けられているので、レバー６２の操作がロックの施錠及び開錠に繋がるため、ロック装置３Ｂの操作を簡単なものとすることができる。
レバー６２は、正面板２１の面方向に沿って上下方向に移動させるように構成されているので、レバー６２を前後方向（抽斗２の引き出し方向）に沿って引くような構成よりも把手部６を薄く作ることができる。これにより、正面板２１の表面からの把手部６の突出量が減るため、狭い場所での設置に好適となる。
カバー６５は、ベース５１に着脱自在とされているので、キャビネット１００の載置場所の雰囲気や使用者の好みによって自由に、簡単に交換することができる。また、レバー６２の形状や抽斗２の大きさに応じて、形状や大きさの異なるカバー６５に自由に変更することができる。
【００４７】
［第４の実施の形態］
次に、ロック装置の第４の実施の形態について説明する。ロック装置の一部の構成は、第１の実施の形態と同じであるため説明を省略し、第１の実施の形態との相違点について説明する。
図１２に示すように、ロック装置３Ｃは、ラッチ部７と、把手部８と、を備えている。
ラッチ部７は、基部７１と、係止爪７２と、磁石７３と、を備えている。
基部７１は、ネジ等を介して正面板２１の背面に取り付けられている。基部７１には、軸部７１ｄを介して係止爪７２が回転自在に設けられている。軸部７１ｄは、その軸線が正面板２１の厚さ方向（抽斗２の引き出し方向）に沿うように基部７１に設けられている。
係止爪７２は、その長手方向中央部付近で軸部７１ｄに支持されている。係止爪７２は、一端部に筐体１の受け部１１に係止される鉤状部７２ａを有しており、他端部に磁石７３を収容する収容部７２ｂを有している。係止爪７２は、磁石７３を設けた状態において、一端側より他端側の方が重くなるように形成されている。したがって、係止爪７２に何も力が作用していない状態においては、係止爪７２の他端部は自重により下方に向かって回転し、一端部は上方に向かって回転して受け部１１に係止される。
【００４８】
磁石７３は、例えば、フェライト磁石等の永久磁石であり、例えば、Ｓ極が軸部７１ｄ側（抽斗２の奥側）、Ｎ極が正面板２１側（抽斗２の手前側）となるように係止爪７２の収容部７２ｂに設けられている。磁石７３は、係止爪７２が筐体１の受け部１１に係止されている状態（施錠位置）において、正面板２１から離れた状態となっており、係止爪７２と筐体１の受け部１１との係止が解除されている状態（開錠位置）において、正面板２１の背面に最接近した位置にある状態となっている。
【００４９】
把手部８は、ベース８１と、つまみ８２と、磁石８３と、を備えている。
ベース８１は、ネジ等を介して正面板２１の正面に取り付けられている。ベース８１には、つまみ８２が上下方向に沿って往復移動自在に設けられている。
つまみ８２は、ベース８１に設けられた状態で正面板２１の厚さ方向に延びるように形成された棒状の部材であり、一端部がベース８１に嵌め込まれ、他端部がベース８１の外側に露出している。つまみ８２の一端部には、磁石８３が設けられている。
磁石８３は、例えば、フェライト磁石等の永久磁石であり、例えば、Ｓ極がつまみ８２の一端部側（正面板２１側）、Ｎ極がつまみ８２の他端部側となるようにつまみ８２に設けられている。
二つの磁石７３，８３は、つまみ８２を下端まで下げた状態では、互いの磁力作用によって引き寄せあわない程度の距離が確保されており、つまみ８２を上端に上げる途中で、徐々に距離が縮まり、磁力作用によって互いに引き寄せ合う。このような状態を満たすよう、係止爪７２とつまみ８２の位置が決定されている。
【００５０】
ロック装置３Ｃによるロックを解除して抽斗２を筐体１から引き出す際には、図１２に示すように、使用者は、つまみ８２を持ってつまみ８２を上方に向けて押し上げる。
つまみ８２を上方に移動させると、つまみ８２に設けられた磁石８３は、係止爪７２に設けられた磁石７３に徐々に近づいていく。やがて、両磁石７３，８３の磁力作用により、磁石７３のＮ極と磁石８３のＳ極が引き寄せ合うことによって、係止爪７２の他端部は上方に向かうように軸部７１ｄを中心として回転し、係止爪７２の一端部の鉤状部７２ａは筐体１の受け部１１から離れるように回転する。その結果、係止爪７２の鉤状部７２ａは、筐体１の受け部１１から離れて係止が解除され、係止爪７２は開錠位置にある状態となる。これにより、使用者は、つまみ８２を上方に押し上げた状態でつまみ８２を手前に引くことにより、抽斗２を筐体１から引き出すことができる。
【００５１】
筐体１から抽斗２を引き出した後、使用者は、つまみ８２から手を放す。つまみ８２を放すと、つまみ８２は、自重によって下方に移動する。
このとき、つまみ８２の磁石８３は、つまみ８２とともに下方に移動して、磁石８３のＳ極が磁石７３のＮ極から徐々に離れていく。やがて、両磁石７３，８３間に引き寄せ合うほどの磁力が及ばなくなるので、係止爪７２において磁石７３が設けられている他端部は、その自重によって軸部７１ｄを中心として回転し、係止爪７２において鉤状部７２ａが設けられている一端部は、筐体１の受け部１１に近づくように回転する。その結果、係止爪７２の鉤状部７２ａは、筐体１の受け部１１に係止され、係止爪７２は施錠位置にある状態となる。
また、抽斗２を筐体１内に戻す際には、使用者は抽斗２の正面板２１を筐体１に向かって押す。このとき、つまみ８２は上方に押し上げられていないため、係止爪７２は施錠位置にあり、係止爪７２の鉤状部７２ａが筐体１の受け部１１に反対側から接触する。しかし、図１２に示すように、受け部１１の下面には、抽斗２の奥側に向かうにつれて緩やかに下方に傾斜する斜面１１ａが形成されているため、係止爪７２は、受け部１１に引っ掛かることなく、軸部７１ｄを中心として回転する。受け部１１を通過した後は、係止爪７２において磁石７３が設けられている他端部は、その自重によって軸部７１ｄを中心として回転し、係止爪７２において鉤状部７２ａが設けられている一端部は、筐体１の受け部１１に近づくように回転する。これにより、係止爪７２は受け部１１に係止されて施錠位置にある状態となる。
【００５２】
ロック装置３Ｃによれば、正面板２１の正面と背面に設けた二つの磁石７３，８３の磁力作用により、抽斗２の施錠及び開錠を行うことができるので、ラッチ部７と把手部８とを機械的に連結する必要がない。そのため、正面板２１に貫通孔を形成する等の加工を事前に行う必要がなく、取り付け作業が容易となる。また、既存のキャビネット１００の正面板２１にも簡単に取り付けることができる。
磁石７３は係止爪７２に設けられており、磁石８３はつまみ８２に設けられているので、両磁石７３，８３は、正面板２１に取り付けられたままの状態でロック装置３Ｃを用いることができるので、一方の磁石８３を操作用の磁石として保管する必要がなく、磁石８３の紛失を防止することができる。また、抽斗２を開閉するたびに磁石８３の取り出し及び保管を繰り返す必要がなくなるので、使用者の手間を減らすことができる。
つまみ８２に磁石８３が設けられているので、つまみ８２の操作がロックの施錠及び開錠に繋がるため、ロック装置３Ｃの操作を簡単なものとすることができる。
【００５３】
［第５の実施の形態］
次に、ロック装置の第５の実施の形態について説明する。ロック装置の一部の構成は、第１の実施の形態と同じであるため説明を省略し、第１の実施の形態との相違点について説明する。
図１３、図１４に示すように、ロック装置３Ｄは、ラッチ部９と、把手部１０と、を備えている。
ラッチ部９は、基部９１と、係止爪９２と、磁石９３と、を備えている。
基部９１は、ネジ等を介して正面板２１の背面に取り付けられている。基部９１には、軸部９１ｄを介して係止爪９２が回転自在に設けられている。軸部９１ｄは、その軸線が正面板２１の厚さ方向（抽斗２の引き出し方向）に沿うように基部９１に設けられている。
係止爪９２は、その長手方向中央部付近で軸部９１ｄに支持されている。係止爪９２は、一端部に筐体１の受け部１１に係止される鉤状部９２ａを有しており、他端部に磁石９３を収容する収容部９２ｂを有している。係止爪９２は、磁石９３を設けた状態において、一端側より他端側の方が重くなるように形成されている。したがって、係止爪９２に何も力が作用していない状態においては、係止爪９２の他端部は自重により下方に向かって回転し、一端部は上方に向かって回転して受け部１１に係止される。係止爪９２は、鉤状部９２ａが基部９１から出没するように、基部９１内に収容されている。
【００５４】
磁石９３は、例えば、フェライト磁石等の永久磁石であり、例えば、Ｓ極が抽斗２の奥側、Ｎ極が正面板２１側（抽斗２の手前側）となるように係止爪９２の収容部９２ｂに設けられている。磁石９３は、係止爪９２が筐体１の受け部１１に係止されている状態（施錠位置）において、下方の位置にある状態となっており、係止爪９２と筐体１の受け部１１との係止が解除されている状態（開錠位置）において、上方の位置にある状態となっている。
【００５５】
把手部１０は、ベース１０１と、レバー１０２と、磁石１０３と、カバー１０５と、を備えている。
ベース１０１は、ネジ等を介して正面板２１の正面に取り付けられている。ベース１０１には、レバー１０２が上下方向に沿って往復移動自在に設けられている。
レバー１０２は、正面板２１の正面において、ベース１０１に対して上下方向に移動自在に設けられている。レバー１０２は、係止爪９２が筐体１の受け部１１に係止される施錠位置と、係止爪９２と受け部１１との係止が解除される開錠位置との間で係止爪９２を移動させることができる範囲で可動するようにベース１０１に上下移動自在に設けられている。
磁石１０３は、例えば、フェライト磁石等の永久磁石であり、例えば、Ｓ極が正面板２１に対向するようにレバー１０２に設けられている。
二つの磁石９３，１０３は、レバー１０２を下端まで下げた状態では、互いの磁力作用によって引き寄せあわされた状態となっており、レバー１０２を上方に移動させると、磁石１０３も上方に移動し、磁石９３も磁石１０３に引き寄せられる。これにより、係止爪９２の他端部も上方に移動する。
カバー１０５は、ベース１０１に着脱自在に設けられている。カバー１０５は、内側に空間が形成されており、把手部１０を構成するベース１０１、レバー１０２、及び磁石１０３を覆い、把手部１０の美観を向上させる。カバー１０５の下方は開口されており、この開口部から手を入れてレバー１０２を操作することができるようになっている。
【００５６】
ロック装置３Ｄによるロックを解除して抽斗２を筐体１から引き出す際には、図１４に示すように、使用者は、カバー１０５の下方から手を入れてレバー１０２を上方に向けて押し上げる。
レバー１０２を上方に移動させると、レバー１０２に設けられた磁石１０３も上方に移動し、磁力作用により、磁石１０３に引き寄せられている磁石９３も磁石１０３とともに上方に移動する。磁石１０３が上方に移動することにより、係止爪９２の他端部は上方に向かうように軸部９１ｄを中心として回転し、係止爪９２の一端部の鉤状部９２ａは筐体１の受け部１１から離れるように回転する。その結果、係止爪９２の鉤状部９２ａは、筐体１の受け部１１から離れて係止が解除され、係止爪９２は開錠位置にある状態となる。これにより、使用者は、レバー１０２を上方に押し上げた状態でレバー１０２を手前に引くことにより、抽斗２を筐体１から引き出すことができる。
【００５７】
筐体１から抽斗２を引き出した後、使用者は、レバー１０２から手を放す。レバー１０２を放すと、レバー１０２は、自重によって下方に移動する。
このとき、磁石１０３は、レバー１０２とともに下方に移動するため、磁石９３も磁石１０３に引き寄せられて下方に移動する。磁石１０３の移動に伴い、係止爪９２において磁石９３が設けられている他端部は、その自重によって軸部９１ｄを中心として回転し、係止爪９２において鉤状部９２ａが設けられている一端部は、筐体１の受け部１１に近づくように回転する。その結果、係止爪９２の鉤状部９２ａは、筐体１の受け部１１に係止され、係止爪９２は施錠位置にある状態となる。
また、抽斗２を筐体１内に戻す際には、使用者は抽斗２の正面板２１を筐体１に向かって押す。このとき、レバー１０２は上方に押し上げられていないため、係止爪９２は施錠位置にあり、係止爪９２の鉤状部９２ａが筐体１の受け部１１に反対側から接触する。しかし、図１３に示すように、鉤状部９２ａの上縁部９２ｃは、抽斗２の奥側に向かうにつれて緩やかに傾斜する凸面状（円弧状）に形成されているため、係止爪９２は、受け部１１に引っ掛かることなく、軸部９１ｄを中心として回転する。受け部１１を通過した後は、係止爪９２において磁石９３が設けられている他端部は、その自重、及び磁石９３，１０３の磁力作用によって軸部９１ｄを中心として回転し、係止爪９２において鉤状部９２ａが設けられている一端部は、筐体１の受け部１１に近づくように回転する。これにより、係止爪９２は受け部１１に係止されて施錠位置にある状態となる。
【００５８】
ロック装置３Ｄによれば、正面板２１の正面と背面に設けた二つの磁石９３，１０３の磁力作用により、抽斗２の施錠及び開錠を行うことができるので、ラッチ部９と把手部１０とを機械的に連結する必要がない。そのため、正面板２１に貫通孔を形成する等の加工を事前に行う必要がなく、取り付け作業が容易となる。また、既存のキャビネット１００の正面板２１にも簡単に取り付けることができる。
磁石９３は係止爪９２に設けられており、磁石１０３はレバー１０２に設けられているので、両磁石９３，１０３は、正面板２１に取り付けられたままの状態でロック装置３Ｄを用いることができるので、一方の磁石１０３を操作用の磁石として保管する必要がなく、磁石１０３の紛失を防止することができる。また、抽斗２を開閉するたびに磁石１０３の取り出し及び保管を繰り返す必要がなくなるので、使用者の手間を減らすことができる。
レバー１０２に磁石１０３が設けられているので、レバー１０２の操作がロックの施錠及び開錠に繋がるため、ロック装置３Ｄの操作を簡単なものとすることができる。
係止爪９２を回転自在に支持する軸部９１ｄは、その軸線が正面板２１の厚さ方向（抽斗２の引き出し方向）に沿うように基部９１に設けられているため、係止爪９２の長手方向を正面板２１の背面に沿って配置することができる。これにより、係止爪９２の抽斗２内への突出量を減らすことができ、ラッチ部９を薄く作ることができる。よって、抽斗２内の収納領域を増やすことができる。
レバー１０２は、正面板２１の面方向に沿って上下方向に移動させるように構成されているので、レバー６２を前後方向（抽斗２の引き出し方向）に沿って引くような構成よりも把手部１０を薄く作ることができる。これにより、正面板２１の表面からの把手部６の突出量が減るため、狭い場所での設置に好適となる。
カバー１０５は、ベース１０１に着脱自在とされているので、キャビネット１００の載置場所の雰囲気や使用者の好みによって自由に、簡単に交換することができる。また、レバー１０２の形状や抽斗２の大きさに応じて、形状や大きさの異なるカバー１０５に自由に変更することができる。
【００５９】
＜その他＞
以上、本発明の好適な実施の形態について説明したが、本発明は上記の実施の形態に限定されるものではなく、本発明の概念及び特許請求の範囲に含まれるあらゆる態様を含む。また、上述した課題及び効果の少なくとも一部を奏するように、各構成を適宜選択的に組み合わせてもよい。また、例えば、上記実施の形態における各構成要素の形状、材料、配置、サイズ等は、本発明の具体的使用態様によって適宜変更することができる。
また、上記の実施の形態においては、ロック装置は、抽斗を有するキャビネットに設けられるが、ロック装置を開き戸に設け、扉の施錠及び開錠をするような構成であってもよい。この場合においても、扉を手前に引く動作により扉の開錠と扉の開放を一連の動作で行うことができるので、操作性に優れたものとなる。
【符号の説明】
【００６０】
１  筐体
２  抽斗
３  ロック装置
４，７，９  ラッチ部
５，６，８，１０  把手部
１１  受け部
４２，７２  係止爪
４３，７３，９３  磁石
５２，６２，１０２  レバー
５３，６３，８３，１０３  磁石
５４，６４  バネ
５５，６５，１０５  カバー
８２  つまみ
１００  キャビネット
【図１】
2020105849.tif 000003
【図２】
2020105849.tif 000004
【図３】
2020105849.tif 000005
【図４】
2020105849.tif 000006
【図５】
2020105849.tif 000007
【図６】
2020105849.tif 000008
【図７】
2020105849.tif 000009
【図８】
2020105849.tif 000010
【図９】
2020105849.tif 000011
【図１０】
2020105849.tif 000012
【図１１】
2020105849.tif 000013
【図１２】
2020105849.tif 000014
【図１３】
2020105849.tif 000015
【図１４】
2020105849.tif 000016